(57)【特許請求の範囲】
【請求項１】
自走式の走行部上に水平方向に旋回可能に支持された旋回台に対して先端側が上下回動可能に支持されたテレスコープ方式の伸縮ブームを持つクレーンに対して削孔機を支持せるクレーンブーム先端の削孔機取り付け装置であって、
前記削孔機は、駆動部と下端に垂下させたオーガ連結軸を備えたオーガ装置本体を有しており、前記テレスコープ方式の伸縮ブーム先端側の下向き回動操作によって削孔するものであり、
前記伸縮ブームの先端に対して着脱自在に固定される固定ブラケットと、該固定ブラケットの先端に一端側が水平配置の枢支軸を中心に回動可能に支持された回動ブラケットと、前記固定ブラケットと回動ブラケットの間に介在させたアクチュエータとを備え、
前記回動ブラケットの他端側に該回動ブラケットの先端に貫通させた水平配置の削孔機支持軸をもって、前記削孔機のオーガ装置本体を回動可能に吊下げ支持させ、
前記固定ブラケットを前記クレーンの伸縮ブーム先端に固定した状態で、前記アクチュエータの伸縮動作によって前記回動ブラケットが上下に回動され、
前記回動ブラケットは、その前記オーガ装置本体を吊り下げ支持した他端側が、前記伸縮ブーム先端を最も低く倒した状態のときに、該伸縮ブームの先端より低い位置まで回動できるようにしたクレーンブーム先端の削孔機取り付け装置。
【発明の詳細な説明】
【技術分野】
【０００１】
本発明は、テレスコープ方式の伸縮ブームを持つクレーンのブーム先端に、地中穿孔用のオーガスクリューやダウンザホールハンマを使用した削孔機を支持させるクレーンブーム先端の削孔機取り付け装置に関する。
【背景技術】
【０００２】
従来、地中杭施工に際し、オーガスクリューやダウンザホールハンマ等の削孔機を吊下げ支持し、これを地中に貫入させ、既製杭挿入用、或は場所打ち杭形成用の孔を形成する装置が使用されている。このこれらの削孔機を地中への貫入、引き上げ操作をする装置としてテレスコープ方式の伸縮ブームを使用したクレーンを使用する方法が広く知られている(例えば特許文献１，２)。
【０００３】
この種の伸縮ブームを使用したクレーンは、一般に汎用性のクレーンが使用され、ブーム先端固定されている先端金具に対し、削孔機支持用専用のブラケットを固定し、このブラケットを介して削孔機を吊り持ち支持させるようにしている。
【先行技術文献】
【特許文献】
【０００４】
【特許文献１】特開２００６−９７３９８
【特許文献２】特開２００５−３０７５３７
【発明の開示】
【発明が解決しようとする課題】
【０００５】
上述の如き従来の削孔機を支持させるためのブラケットは、通常２本の支軸をもってブラケットの基端側をブームの先端金具に固定し、ブラケットをブーム延長方向或はブームの中心軸方向に対して下向きに交差させた向きに固定している。
【０００６】
このような削孔機置支持のための従来の構造では、ブーム先端を該ブーム回動範囲の最下部まで降下させた場合においても、オーガ装置のオーガスクリューを吊下げ支持したオーガ装置本体の下端と地表との間に間隔が残る場合がある。
【０００７】
また、穿孔位置の上側に橋梁等の構築物が存在する場合に、クレーンのブーム先端が上昇できる最高位置に達した場合、即ち穿孔位置上の構築物に接する位置まで上昇させた場合においても、削孔機の上端と前記構築物との間に間隔が残る場合がある。
【０００８】
上記の何れの場合、即ち削孔機の下端と地表との間に間隔が残る場合、又は削孔機の上端と前記構築物との間に間隔が残る場合には、それらの間隔分だけ削孔機の上下移動長さをロスすることとなり、削孔機の長さを十分に生かし切れていないという問題があった。
【０００９】
本発明はこのような従来の問題に鑑み、テレスコープ方式の伸縮ブームを持つクレーンを使用してオーガスクリューやダウンザホールハンマ等の削孔機を支持させて穿孔作業を行う際に、上側に障害物が存在する場合や、伸縮ブームの下向き回動角度の限界等の条件下において、長い削孔機の使用を可能にするとともにその全長を有効活用して効率よく穿孔することができるクレーンブーム先端の削孔機取り付け装置の提供を目的としてなされたものである。
【課題を解決するための手段】
【００１０】
上述の如き従来の問題を解決するための請求項１に記載の本発明の特徴は、自走式の走行部上に水平方向に旋回可能に支持された旋回台に対して先端側が上下回動可能に支持されたテレスコープ方式の伸縮ブームを持つクレーンに対して削孔機を支持せるクレーンブーム先端の削孔機取り付け装置であって、前記削孔機は、駆動部と下端に垂下させたオーガ連結軸を備えたオーガ装置本体を有しており、前記テレスコープ方式の伸縮ブーム先端側の下向き回動操作によって削孔するものであり、前記伸縮ブームの先端に対して着脱自在に固定される固定ブラケットと、該固定ブラケットの先端に一端側が水平配置の枢支軸を中心に回動可能に支持された回動ブラケットと、前記固定ブラケットと回動ブラケットの間に介在させたアクチュエータとを備え、  前記回動ブラケットの他端側に該回動ブラケットの先端に貫通させた水平配置の削孔機支持軸をもって、前記削孔機のオーガ装置本体を回動可能に吊下げ支持させ、  前記固定ブラケットを前記クレーンの伸縮ブーム先端に固定した状態で、前記アクチュエータの伸縮動作によって前記回動ブラケットが上下に回動され、前記回動ブラケットは、その前記オーガ装置本体を吊り下げ支持した他端側が、前記伸縮ブーム先端を最も低く倒した状態のときに、該伸縮ブームの先端より低い位置まで回動できるようにしたクレーンブーム先端の削孔機取り付け装置にある。
【発明の効果】
【００１１】
本発明に係るクレーンブーム先端の削孔機取り付け装置においては、請求項１に記載のように、テレスコープ方式の伸縮ブームを持つクレーンの該ブーム先端に対して着脱自在に固定される固定ブラケットと、該固定ブラケットの先端に一端側が水平配置の枢支軸を中心に回動可能に支持された回動ブラケットと、前記固定ブラケットと回動ブラケットの間に介在させたアクチュエータとを備え、前記回動ブラケットの他端側に削孔機を吊下げ支持可能とし、前記固定ブラケットを前記クレーンの伸縮ブーム先端に固定した状態で、前記アクチュエータの伸縮動作によって前記回動ブラケットが上下に回動されるようにしたことにより、伸縮ブームの先端をもつとも最も低い位置まで降下させた時に、回動ブラケットを下向きに回動させることによってオーガ装置本体と穿孔しようとする地表面近くまで降下させることができ、オーガスクリューの全長を有効に利用して効率の良い穿孔ができる。
【００１２】
また、穿孔位置の上側に障害物があって、伸縮アーム先端の上昇が制限される場合であっても、回動ブラケットを上向きに回動させることによって障害物下面に接触またはこれにより近い高さまで上昇させることができ、より長い削孔機の使用が可能となり、穿孔効率が向上する。
【図面の簡単な説明】
【００１３】
【図１】本発明に係るクレーンブーム先端の削孔機取り付け装置を使用した状態であってブームが上方の障害物に接触したときに回動ブラケットを上向きに回動させた状態を示す側面図である。
【図２】同上のクレーンブームが水平な位置にある状態を示す側面図である。
【図３】同上の回動ブラケットを下向きに回動させて最も地表に接近させた状態の側面図である。
【図４】本発明に係るクレーンブーム先端の削孔機取り付け装置の側面図である。
【図５】同平面図である。
【発明を実施するための最良の形態】
【００１４】
次に、本発明の実施の形態を、図面に示した実施例に基づいて説明する。図において符号１は、テレスコープ方式の伸縮ブーム２を装備した自走式のクレーンである。このクレーン１は、クローラ式の走行部３の上の旋回台４に伸縮ブーム２の基端側ブーム２ａの端部が上下回動可能に支持されており、これを油圧シリンダーからなるアクチュエータ５をもって先端側を上下に回動させるようになっている。先端側ブーム２ｂが、基端側ブーム２ａ内に挿入されており、これが内部に設置した駆動機構(図示せず)により軸方向に移動されることによって伸縮ブーム２の全体長さが変化するようになっている。
【００１５】
尚、この例では、２つのブームをもって伸縮ブームを構成している構造のものを示しているが、この他、２つ以上のブームをもってテレスコープ方式の伸縮ブームを構成しているものであってもよい。
【００１６】
伸縮ブーム２の先端、即ち先端側ブーム２ｂの先端には、ブーム先端金具１０が固定されている。この先端金具１０は、汎用性のテレスコープ方式ブームを使用したクレーンに使用されているものであり、先端金具１０の両側面を水平に貫通する配置の一対のブラケット取付軸１１，１１が貫通されている。このおり、このブラケット取付軸１１，１１は、伸縮ブーム２が水平配置にあるときに上下配置にあり、互いに平行となるように設置されている。このブラケット取付軸１１，１１は、一端側に軸部より大径の頭部１１ａが形成され他端側にストッパ１１ｂが固定されるようになっている。
【００１７】
伸縮ブーム２の先端にブラケット取付軸１１，１１をもって本発明に係るクレーンブーム先端の削孔機取り付け装置Ａが取り替え可能に固定されるようになっている。
【００１８】
この削孔機取り付け装置Ａは、一端側が前記ブラケット取付軸１１，１１をもって先端金具１０に固定される固定ブラケット１５と、固定ブラケット１５の他端側に関節を介して回動可能に連結された回動ブラケット１６と、固定ブラケット１５に対して回動ブラケット１６を往復回動させるための油圧シリンダーからなるアクチュエータ１７とから構成されている。
【００１９】
固定ブラケット１５は、互いに平行な一対の菱形の板状をした固定プレート１５ａ，１５ａと、該両板状固定アーム間を連結固定する連結材１５ｂとから構成されている。これと同様に回動ブラケット１６も互いに平行な一対の板状をした回動アーム１６ａ，１６ａと、両回動アーム間を連結する連結材１６ｂとから構成されている。
【００２０】
固定ブラケット１５と回動ブラケット１６との間の関節は、固定ブラケット１５の両固定プレート１５ａの中間長さ位置の外側に回動ブラケット１６の各回動アーム１６ａを接合させ、これらを貫通させて挿通した水平配置の枢支軸１８及び固定ブラケット１５と回動ブラケット１６との間に介在させたアクチュエータ１７によって固定ブラケット１５に対し回動ブラケット１６を回動させる構造となっている。
【００２１】
尚、アクチュエータ１７は、一端が固定ブラケット１５の連結材１５ｂの中間長さ位置に回動可能に支持され、他端が回動ブラケット１６の連結材１６ｂの中間長さ位置に回動可能に支持されている。
【００２２】
また、固定ブラケット１５は、その固定プレート１５ａの菱形の一辺側を伸縮ブーム２の先端金具１０の両側面に接合させ、該一辺の両端の角部にブラケット取付軸１１，１１を貫通させ、ストッパ１１ｂにて固定させることによって先端金具１０に対して回動不能に連結されるようになっており、前記菱形の１辺と平行な他方の１辺一端側にある菱形の鋭角部位置に連結材１５ｂが一体化されており、該他方の一辺の他端側にある菱形の鈍角部位置の外側に回動ブラケット１６の回動アーム１６ａの一端側を接合させ、これらに枢支軸１８を貫通させている。
【００２３】
このようにして、固定ブラケット１５は、伸縮ブーム２の先端に、該ブームの伸縮軸方向に対して、該ブームの下向き回動方向側、即ち伸縮ブーム２が水平方向に向けられた状態にあるときに、該伸縮中心軸より下側に向くように設置されている。
【００２４】
このように構成される削孔機取り付け装置Ａの回動ブラケット１６を構成している回動アーム１６ａ，１６ａの先端間にオーガ装置本体ａの上半側を挿入し、該回動アーム１６ａの先端に貫通させた削孔機支持軸２０，２０をもって回動可能に吊下げ支持させるようになっている。
【００２５】
また、この削孔機取り付け装置Ａの回動ブラケット１６は、図３、図４に示すように、伸縮ブーム２の先端を最も低く倒した状態の時に、削孔機を吊り下げ支持した他端側が、伸縮ブーム２の先端より低い位置まで回動できるようになっている。
【００２６】
尚、この例における削孔機は、駆動部、減速機構部を有し、下端にオーガ連結軸を垂下させたオーガ装置本体ａと、該オーガ装置本体ａに連結したオーガスクリューｂとをもって構成されており、このオーガ装置本体aの外殻の上半部外面の対称な位置に設置した吊り持ち用のブラケット２１，２１に削孔機支持軸２０，２０をもって吊下げ支持されるようになっており、クレーンのテレスコープ方式の伸縮ブーム２の先端に吊下げ支持させ、該伸縮ブーム先端の下向き回動によって下向きに推進させて削孔するものである。
【００２７】
このように構成される削孔機取り付け装置は、クレーンのテレスコープ方式の伸縮ブーム２の先端に取り付けて使用することにより、図１に示すように、穿孔位置の上側に橋梁等の障害物Ｂがあり、伸縮ブーム２の先端が障害物Ｂの下面に接した状態のときに、オーガ装置本体ａの上端、即ち削孔機の上端と障害物Ｂとの間に間隔が生じるような場合であっても、回動ブラケット１６を上向きに回動させることによって、オーガ装置本体ａの上端が障害物Ｂに接する高さまで上昇させることができ、その分だけ長いオーガスクリューを使用することができ、１回に継ぎ足すオーガスクリューをより長いものとすることができ、穿孔効率が向上する。
【００２８】
また、図２に示すように伸縮ブーム２が水平より下側に回動できない構造の場合、或はオーガ装置本体ａの上半部を支持させる構造の場合等、伸縮ブーム先端を最も低く倒した状態の時に、オーガ装置本体ａの下端と、穿孔しようとする地表面との間に間隔Ｈが残るような場合、図３に示すように回動ブラケット１６を該伸縮ブームの先端より低い位置まで下側に回動させることによって、間隔Ｈをなくするか、より短いものとすることができ、オーガスクリューｂの全長をより有効に使用できる。
【００２９】
尚、上述の実施例では、削孔機としてオーガスクリューを使用した場合を示しているが、削孔機はこれに限らずダウンザホールハンマ等の他の削孔機であってもよい。
【符号の説明】
【００３０】
Ａ  オーガ取り付け装置
Ｂ  障害物
Ｈ  間隔
ａ  オーガ装置本体
ｂ  オーガスクリュー
１  クレーン
２  伸縮ブーム
２ａ  基端側ブーム
２ｂ  先端側ブーム
３  走行部
４  旋回台
５  アクチュエータ
１０  先端金具
１１  ブラケット取付軸
１１ａ  頭部
１１ｂ  ストッパ
１５  固定ブラケット
１５ａ  固定プレート
１５ｂ  連結材
１６  回動ブラケット
１６ａ  回動アーム
１６ｂ  連結材
１７  アクチュエータ
１８  枢支軸
２０  削孔機支持軸
２１  ブラケット
【図１】
0006481920.tif 000002
【図２】
0006481920.tif 000003
【図３】
0006481920.tif 000004
【図４】
0006481920.tif 000005
【図５】
0006481920.tif 000006